(57)【特許請求の範囲】
【請求項１】
段ボールによって板状に形成され、作業面を有する天板部と、
段ボールによって中空状に形成され、前記天板部を設置面上で支える支持部と、
前記支持部と前記天板部との両方又はいずれか一方に形成され、前記支持部の内部のスペースに通じる貫通孔と、
前記スペースに配置され、柔軟性をもつ長尺部材を収納する収納箱と、
を備え、
前記収納箱は、
外殻を形成し前記貫通孔に通じる開口を含む箱本体と、
前記箱本体の内部を複数の区画に仕切る仕切りと、
を有し、
前記箱本体は、直方体状に形成され、
前記仕切りは、前記箱本体の対角にわたるように配置された平板によって構成されている、
作業台。
【請求項２】
前記天板部と前記設置面との間において前記支持部に取り付けられた棚板を更に備える、
請求項１に記載の作業台。
【請求項３】
前記棚板は、幅方向の外側の端部に形成され長尺部材を切断するための切断部を有する、
請求項２に記載の作業台。
【請求項４】
段ボールによって板状に形成され、作業面を有する天板部と、
段ボールによって中空状に形成され、前記天板部を設置面上で支える支持部と、
前記支持部と前記天板部との両方又はいずれか一方に形成され、前記支持部の内部のスペースに通じる貫通孔と、
前記天板部と前記設置面との間において前記支持部に取り付けられた棚板と、
を備え、
前記棚板は、幅方向の外側の端部に形成され長尺部材を切断するための切断部を有する、
作業台。
【請求項５】
前記スペースに配置され、柔軟性をもつ長尺部材を収納する収納箱を更に備え、
前記収納箱は、前記貫通孔に通じる開口を有する、
請求項４に記載の作業台。
【請求項６】
前記収納箱は、
外殻を形成し前記開口を含む箱本体と、
前記箱本体の内部を複数の区画に仕切る仕切りと、
を有する、
請求項５に記載の作業台。
【請求項７】
前記貫通孔を複数備え、
前記収納箱の前記複数の区画のうちの一つは、前記複数の貫通孔のうちの少なくとも一つに通じ、
他の区画のうちの一つは、他の貫通孔のうちの少なくとも一つに通じている、
請求項１〜３，６のいずれか一項に記載の作業台。
【請求項８】
前記収納箱の前記複数の区画の少なくとも一つは、前記長尺部材が収納される長尺部材用区画であり、
前記長尺部材用区画以外の区画は、前記貫通孔に通じるごみ用区画である、
請求項７に記載の作業台。
【請求項９】
前記支持部は、四つの段ボールからなる側壁を井桁状に組み立てることで形成され、
前記棚板は、一の前記側壁から突出する他の二つの前記側壁の側端部に架け渡されている、
請求項２〜６、請求項２を引用する請求項７、請求項６を引用する請求項７、請求項２を引用する請求項７を引用する請求項８、及び、請求項６を引用する請求項７を引用する請求項８のいずれか一項に記載の作業台。
【請求項１０】
前記貫通孔が前記支持部に形成され、
前記棚板は、前記支持部に形成された前記貫通孔よりも下方に配置されている、
請求項２〜６、請求項２を引用する請求項７、請求項６を引用する請求項７、請求項２を引用する請求項７を引用する請求項８、請求項６を引用する請求項７を引用する請求項８、及び、請求項９のいずれか一項に記載の作業台。
【請求項１１】
段ボールによって板状に形成され、作業面を有する天板部と、
段ボールによって中空状に形成されるものであり、前記天板部を設置面上で支えるための支持部と、
前記支持部と前記天板部との両方又はいずれか一方に形成され、前記支持部の内部のスペースに通じさせるための貫通孔と、
前記スペースに配置され、柔軟性をもつ長尺部材を収納する収納箱と、
を備え、
前記収納箱は、
外殻を形成し前記貫通孔に通じさせための開口を含む箱本体と、
前記箱本体の内部を複数の区画に仕切るための仕切りと、
を有し、
前記箱本体は、直方体状に形成されるものであり、
前記仕切りは、前記箱本体の対角にわたるように配置される平板によって構成されている、
作業台組立てキット。
【請求項１２】
段ボールによって板状に形成され、作業面を有する天板部と、
段ボールによって中空状に形成されるものであり、前記天板部を設置面上で支えるための支持部と、
前記支持部と前記天板部との両方又はいずれか一方に形成され、前記支持部の内部のスペースに通じさせるための貫通孔と、
前記天板部と前記設置面との間において前記支持部に取り付けられる棚板と、
を備え、
前記棚板は、幅方向の外側の端部に形成され長尺部材を切断するための切断部を有する、
作業台組立てキット。
【発明の詳細な説明】
【技術分野】
【０００１】
本発明は、作業台及び作業台組立てキットに関する。
【背景技術】
【０００２】
特許文献１には、従来の作業台（特許文献１では箱体）が記載されている。特許文献１記載の箱体は、中空状の胴部と、胴部の上側の開口部を覆う頂板と、を備える。箱体は、椅子、机又はベッドとして使用することができる。
【先行技術文献】
【特許文献】
【０００３】
【特許文献１】特開２０１９−５４９６０号公報
【発明の概要】
【発明が解決しようとする課題】
【０００４】
ところで、特許文献１記載の箱体を机として用いる場合、頂板の上面（作業面）で作業を行うが、作業の際、例えば、緩衝材を用いる場合、頂板の上面に緩衝材が散乱したり、緩衝材の端材が散乱したりすると、作業効率が低下するという問題がある。
【０００５】
本発明は、上記事情に鑑みてなされ、作業面を有効に使用し、作業効率の向上を図ることができる作業台及び作業台組立てキットを提供することを目的とする。
【課題を解決するための手段】
【０００６】
本発明に係る一態様の作業台は、段ボールによって板状に形成され、作業面を有する天板部と、段ボールによって中空状に形成され、前記天板部を設置面上で支える支持部と、前記支持部と前記天板部との両方又はいずれか一方に形成され、前記支持部の内部のスペースに通じる貫通孔と、を備える。
【０００７】
本発明に係る一態様の作業台組立てキットは、段ボールによって板状に形成され、作業面を有する天板部と、段ボールによって中空状に形成されるものであり、前記天板部を設置面上で支えるための支持部と、を備える。前記支持部と前記天板部との両方又はいずれか一方に、前記支持部の内部のスペースに通じさせるための貫通孔が形成されている。
【発明の効果】
【０００８】
本発明に係る上記態様の作業台及び作業台組立てキットは、作業面を有効に使用し、作業効率の向上を図ることができる、という利点がある。
【図面の簡単な説明】
【０００９】
【図１】図１は、本発明の一実施形態に係る作業台において、天板部を支持部から離した状態の斜視図である。
【図２】図２は、同上の作業台の分解斜視図である。
【図３】図３は、同上の作業台の鉛直面に沿う断面での断面図である。
【図４】図４Ａは、同上の作業台を一部破断した斜視図である。図４Ｂは、図４ＡのＢ部分の拡大断面図である。
【図５】図５は、同上の作業台の鉛直面に沿う断面での断面図において、収納箱が複数の区画に仕切られたことを示す断面図である。
【図６】図６Ａは、同上の作業面の使用方法の一例を示す平面図である。図６Ｂは、同上の作業面の使用方法の他例を示す平面図である。
【発明を実施するための形態】
【００１０】
（１）実施形態
【００１１】
以下、本実施形態に係る作業台１について、詳細に説明する。
（１．１）全体構成
【００１２】
本実施形態に係る作業台１は、図１に示すように、段ボールで構成された作業台１である。作業台１は、段ボールで構成されているため、図２に示すように、ユーザが各部品同士を接着したり、部品に形成されたスリットに他の部品を差し込んだりして、組み立てることができる。作業台１の部品一式を「作業台組立てキット」という。作業台１は、設置面Ｘ１に設置される。作業台１は、図１に示すように、設置面Ｘ１上に載る支持部２と、支持部２に載る天板部４と、支持部２内に配置される収納箱５と、支持部２に取り付けられる複数の棚部３と、を備える。
【００１３】
図３に示すように、収納箱５には、柔軟性をもつ長尺部材６が収納されている。ここでいう「柔軟性をもつ長尺部材６」とは、一方向に延びたしなやかな部材を意味する。長尺部材６としては、例えば、気泡緩衝材、ポリエチレン緩衝シート、ゴムシート、布、リボン、帯、革ベルト、布ベルト、テープ、ビニール紐、麻紐、ロープ、包装紙、梱包材料、電気配線、ケーブル、ゴムチューブ、樹脂チューブ等が挙げられる。本実施形態では、長尺部材６の一例として、気泡緩衝材６１を挙げて説明する。
【００１４】
支持部２と天板部４との両方又はいずれか一方（ここでは、支持部２と天板部４との両方）には、貫通孔２１２，４２が形成されている。貫通孔２１２，４２は、収納箱５の内部に通じており、作業者は貫通孔２１２，４２を通して、気泡緩衝材６１を取り出すことができる。これによって、作業者は、作業台１の上面（作業面）の上で各種作業を行うことができる上に、気泡緩衝材６１を使用する際に、すぐに気泡緩衝材６１を取り出すことができる。
【００１５】
ここで、本明細書でいう「設置面Ｘ１」とは、作業台１が設置される面を意味する。設置面Ｘ１としては、例えば、床面、地面、コンクリート面、ゴムシートの上面、じゅうたんの上面等が挙げられる。設置面Ｘ１は、本実施形態では、水平面に沿う平面であるとして説明するが、本発明では、平面に限らず、凹凸面、段差面であってもよいし、水平面に対して傾斜していてもよい。
【００１６】
また、本明細書でいう「段ボール」は、少なくとも一つのライナと、波形の中芯と、で構成されたシート材を意味する。本実施形態に係る段ボールは、両面段ボールであるが、これに限らず、例えば、片面段ボール、複両面段ボール、複々両面段ボール等であってもよい。また、段ボールとしては、紙製段ボールのほか、プラスチック製段ボールであってもよい。
（１．２）詳細
（１．２．１）支持部
【００１７】
支持部２は、図１に示すように、天板部４と設置面Ｘ１との間に配置される部分であり、天板部４を設置面Ｘ１上で支える。支持部２は、中空状に形成されている。より詳しくは、支持部２は、上下方向の両端面に開口面を有する筒状（ここでは、角筒状）に形成されている。支持部２の中心軸方向の下側の端面は設置面Ｘ１に対向し、上側の端面は天板部４に対向する。
【００１８】
支持部２の内部のスペースは、気泡緩衝材６１の収納用のスペース（以下、「収納スペース２３」）となる。収納スペース２３には、収納箱５に入った気泡緩衝材６１が収納される。収納箱５については、後の「（１．２．４）収納箱」で詳述する。ただし、本発明では、収納スペース２３に対し、収納箱５に入れることなく、直接的に長尺部材６を収納してもよく、収納箱５はなくてもよい。
【００１９】
支持部２は、四つの側壁を井桁状に組み立てることで、四角筒状に形成されている。各側壁は、一の段ボール（段ボールシート）を折り重ねて２層の段ボールで構成されている。支持部２は、図２に示すように、四つの側壁として、貫通孔２１２が形成された一対の側壁（「第一側壁２１」という場合がある）と、第一側壁２１に直交する一対の側壁（「第二側壁２２」という場合がある）と、を備える。
【００２０】
第一側壁２１は、略矩形状をした板状に形成されている。第一側壁２１には、上端縁から下方向に沿って一対の縦スリット２１１が形成されている。一対の縦スリット２１１は、第一側壁２１の幅方向に離れている。第一側壁２１には、貫通孔（側壁に形成された貫通孔を「第一貫通孔２１２」という場合がある）が形成されている。
【００２１】
第一貫通孔２１２は、第一側壁２１を厚み方向に貫通しており、支持部２の外部と収納スペース２３とを通じさせる。第一貫通孔２１２は、円形状に形成されている。ただし、本発明では、第一貫通孔２１２は、円形状に限らず、例えば、楕円形状、長孔状、三角形状、四角形状、五角形状、六角形状、スリット状等に形成されてもよいし、側壁の端縁から切り込まれた切欠きによって構成されてもよい。第一貫通孔２１２は、一対の縦スリット２１１の間に形成されている。
【００２２】
第二側壁２２は、略矩形状をした板状に形成されている。第二側壁２２には、下端縁から上方向に沿って一対の縦スリット２２１が形成されている。一対の縦スリット２２１は、第二側壁２２の幅方向に離れている。
【００２３】
支持部２は、第一側壁２１の縦スリット２１１に対し、第二側壁２２の縦スリット２２１を差し込むことで平面視井桁状に組み立てられる。井桁状に組み立てられた支持部２は、図１に示すように、各第一側壁２１の表面から、一対の第二側壁２２の側端部が突出する。また、各第二側壁２２の表面から、一対の第一側壁２１の側端部が突出する。第一側壁２１の表面から突出する第二側壁２２の側端部には、棚部３が取り付けられる。
（１．２．２）棚部
【００２４】
棚部３は、棚板３１を備える部材であり、天板部４と設置面Ｘ１との間において、支持部２に取り付けられる。棚部３は、一対の第一側壁２１の各々に対応して取り付けられている。棚部３は、棚板３１と、起立板３２と、上板３３と、を備える。棚部３は、一の段ボール（段ボールシート）を折り曲げることで、断面略Ｃ字状に形成されている。
【００２５】
棚板３１は、作業台１において、載置物（例えば、作業に使用する備品又は小物）を載置可能な部分である。棚板３１は、第二側壁２２の側端部に形成された横スリット２２２（図２）に差し込まれ、当該側端部に支えられる。横スリット２２２は、第二側壁２２の左右方向の縁から水平面に沿って形成されている。横スリット２２２は上下方向に二つ並んで形成されているが、棚板３１は、二つの横スリット２２２のうちの下側の横スリット２２２に差し込まれる。
【００２６】
棚部３が支持部２に取り付けられると、棚板３１は、図１に示すように、第一貫通孔２１２よりも下方の位置に配置され、棚板３１の上面が第一貫通孔２１２の下端に近接する。棚板３１は、支持部２の第一側壁２１に対し、略直交するように突出しており、天板部４に対して略平行であって水平面に沿っている。棚板３１の突出方向を「幅方向」といい、棚板３１の幅方向の寸法を「幅寸法」という場合がある。
【００２７】
棚板３１は、幅方向の外側の端部に形成された切断部３１１を有している。切断部３１１は、長尺な気泡緩衝材６１を、任意の位置で切断することができる。切断部３１１は、棚板３１の幅方向の外側の端部の縁で構成されている。ここでいう「縁」は、棚板３１の端面の上側の縁（エッジ）を指す。縁は直線状に形成されている。作業者は、縁に対して気泡緩衝材６１を押し付けたり、押し付けながら縁の長手方向に沿って移動させたりすることで、気泡緩衝材６１を切断することができる。
【００２８】
起立板３２は、棚板３１の幅方向の内側の端部から上方向に突出する部分である。起立板３２には、図２に示すように、第一貫通孔２１２に対応する位置に形成された開口部３２１と、開口部３２１の左右方向の両側に形成されたスロット部３２２と、が形成されている。棚部３が支持部２に取り付けられると、図１に示すように、スロット部３２２には、第二側壁２２の側端部における一対の横スリット２２２の間の部分Ａ１が差し込まれ、起立板３２は、第一側壁２１に沿うように配置される。
【００２９】
上板３３は、起立板３２の上端部から棚板３１の幅方向の外側に向かって突出する部分である。上板３３は、第二側壁２２に形成された一対の横スリット２２２のうちの上側の横スリット２２２に差し込まれる。上板３３の幅寸法は、棚板３１の幅寸法と同じである。横スリット２２２には、上板３３と共に抜け止め板３４が差し込まれる。抜け止め板３４は、棚部３が支持部２に対してずれたり、抜け落ちたりするのを防ぐ。抜け止め板３４は、上板３３に重ねられており、上板３３が横スリット２２２に対して、強く嵌め込まれる。
【００３０】
本実施形態に係る棚部３は、抜け止め板３４によって支持部２に固定されたが、本発明では、棚部３は、支持部２に対して接着剤で固定されてもよいし、ピン又はステープラー針等の固定具で固定されてもよい。
（１．２．３）天板部
【００３１】
天板部４は、上面に作業面を有する板状の部分である。天板部４は、支持部２の上端に載り、設置面Ｘ１から所定寸法離れる。ここでいう「作業面」は、作業者が作業を行う際に使用する面を意味する。天板部４は、図２に示すように、天板本体４１と、複数の蓋４３と、複数の位置決め部４４と、を備える。
【００３２】
天板本体４１は、天板部４の主体を構成する部分である。天板本体４１は、複数（ここでは二つ）の段ボール（段ボールシート）を重ね合わせ、互いに接着することで構成されている。以下では、２層の段ボールシートのうち上側を「第一層４１１」といい、下側を「第二層４１２」という場合がある。
【００３３】
天板本体４１は、平面視略矩形状に形成されている。天板本体４１は、支持部２に対し、支持部２の上端の開口面を塞ぐようにして、取外し可能に取り付けられる。天板本体４１には、複数の貫通孔（天板部４に形成された貫通孔を「第二貫通孔４２」という場合がある）が形成されている。
【００３４】
第二貫通孔４２は、天板本体４１を厚み方向に貫通しており、天板部４の外部と支持部２内の収納スペース２３とを通じさせる。第二貫通孔４２は、円形状に形成されている。ただし、本発明では、第二貫通孔４２は、円形状に限らず、例えば、楕円形状、長孔状、三角形状、四角形状、五角形状、六角形状、スリット状等に形成されてもよいし、天板本体４１の端縁から切り込まれた切欠きによって構成されてもよい。複数の第二貫通孔４２の各々は、収納箱５の開口を通じて、収納箱５内に通じている。
【００３５】
図４Ａ，４Ｂに示すように、天板本体４１の第二層４１２に形成された第二貫通孔４２の内径は、第一層４１１に形成された第二貫通孔４２の内径よりも小さく形成されている。具体例として、第二層４１２に形成された第二貫通孔４２の内径は、例えば、２２０ｍｍであるのに対し、第一層４１１に形成された第二貫通孔４２の内径は、２５０ｍｍである。これにより、蓋４３が第二貫通孔４２を塞ぐように取り付けられると、蓋４３は第二層４１２の上面に載り、かつ第一層４１１の第二貫通孔４２の孔内に入り込む。したがって、蓋４３の上面は天板本体４１の上面と同一平面上に位置し、面一となる。
【００３６】
蓋４３は、上述の通り、天板本体４１に対し、第二貫通孔４２を塞ぐようにして、取外し可能に取り付けられる。蓋４３は、第二貫通孔４２の内周面の形状に適合するように形成されており、本実施形態では、略円形状に形成されている。蓋４３は、天板本体４１と同様、段ボールで構成されている。ただし、本発明では、蓋４３は段ボールに限らず、例えば、ボール紙、プラスチック板、発泡スチロール板、金属板、木板等で構成されてもよい。
【００３７】
図４Ａに示すように、蓋４３には、指掛かり部４３１が形成されている。指掛かり部４３１は、蓋４３が天板本体４１に取り付けられた状態で、蓋４３を摘みやすくする。指掛かり部４３１としては、例えば、蓋本体から上方向に突出する摘まみ、凹み等が挙げられるが、作業面での作業性を損なわないようにする観点から、本実施形態では、凹部が採用されている。凹部は、蓋４３の外周から蓋４３の中心に向かって切り欠かれている。
【００３８】
位置決め部４４は、天板本体４１を支持部２上に位置決めする部分である。各位置決め部４４は、図２に示すように、略Ｌ字状に形成されており、天板本体４１の下面の角部に沿って取り付けられる。天板部４が支持部２に載ると、複数の位置決め部４４の内側に、各側壁の端面が位置し、各位置決め部４４の内側面と側壁の端面とが対向する。
【００３９】
位置決め部４４は、天板本体４１と同様、段ボールで構成されている。ただし、本発明では、位置決め部４４は段ボールに限らず、例えば、ボール紙、プラスチック板、発泡スチロール板、金属板、木板等で構成されてもよい。位置決め部４４は、天板本体４１に対して、接着剤で固定されてもよいし、ピン、ステープラー針等の固定具で固定されてもよい。
（１．２．４）収納箱
【００４０】
収納箱５は、気泡緩衝材６１を収納した状態で、支持部２の内部の収納スペース２３に、取出し可能に配置される。収納箱５は、図２に示すように、箱本体５１と、仕切り５２と、を備える。
【００４１】
箱本体５１は、収納箱５の外殻を形成する。箱本体５１は、直方体（立方体を含む）状に形成されている。箱本体５１は、本実施形態では、段ボール（段ボールシート）で構成されているが、本発明ではこれに限らず、例えば、ボール、プラスチック、発泡スチロール、金属、木、布等で構成されてもよい。
【００４２】
箱本体５１は、箱本体５１の内部と外部とを通じさせる開口を有している。箱本体５１は、開口として、箱本体５１の上面に形成された上開口５１１と、支持部２の第一側壁２１に対向する側板に形成された横開口５１２と、を備える。
【００４３】
上開口５１１は、天板部４に形成された第二貫通孔４２に通じている。上開口５１１は、箱本体５１の上面を取り除くことで形成されているが、第二貫通孔４２と同じか、第二貫通孔４２よりもやや大きいサイズの孔で構成されてもよい。
【００４４】
横開口５１２は、第一側壁２１に形成された第一貫通孔２１２に通じている。横開口５１２は、第一貫通孔２１２よりも大径の丸穴で構成されているが、第一貫通孔２１２と同じサイズの丸穴であってもよいし、四角形、五角形、六角形等の角形穴で構成されてもよい。
【００４５】
仕切り５２は、箱本体５１の内部を、複数（ここでは二つ）の区画に仕切る。本実施形態に係る仕切り５２は、図１に示すように、箱本体５１の内部を、気泡緩衝材６１（長尺部材６）が収容される長尺部材用区画５３と、紙くず又は糸くず等のごみが収容されるごみ用区画５４と、に仕切る。長尺部材用区画５３は、横開口５１２を通じて、複数の第一貫通孔２１２のうちの一つに通じ、上開口５１１を通じて、複数の第二貫通孔４２のうちの一つに通じている。また、ごみ用区画５４は、横開口５１２を通じて、複数の第一貫通孔２１２のうちの他の一つに通じ、上開口５１１を通じて、複数の第二貫通孔４２のうちの他の一つに通じている。
【００４６】
したがって、図５に示すように、作業者は、作業の際、天板部４に形成された一の第二貫通孔４２を通して、気泡緩衝材６１を取り出すことができる上に、他の第二貫通孔４２を通して、ごみを捨てることができる。また、図３に示すように、一の第一貫通孔２１２を通して気泡緩衝材６１を取り出すことができる上に、特に図示しないが、他の第一貫通孔２１２を通して、ごみを捨てることも可能である。
【００４７】
仕切り５２は、図１に示すように、平板によって構成されている。仕切り５２は、図２に示すように、箱本体５１の対角にわたるように取外し可能に配置されており、仕切り５２の幅方向の端部は、箱本体５１の入隅部に収まる。これによって、仕切り５２は、箱本体５１の内部でがたつくことなく位置決めされ、箱本体５１の内部を複数の区画に仕切ることができる。
【００４８】
以上のような構成の作業台１によれば、作業者は、作業台１の上面（作業面）で各種作業を行うことができる上に、気泡緩衝材６１を使用する際に、すぐに気泡緩衝材６１を取り出すことができる。
【００４９】
しかも、天板部４は段ボールで構成されているため、作業面に印刷したり、印刷したシートを貼り付けたりしやすい。天板部４は、例えば、図６Ａ，６Ｂに示すように、使用することもできる。
【００５０】
図６Ａに示すように、天板部４の作業面には、スケール７１が設けられている。スケール７１は、天板本体４１の縁部に沿って設けられており、ここでは、天板本体４１の縁部の全周にわたって印刷されている。作業面にスケール７１が設けられていることで、作業中に巻き尺等の計測器を手に取る必要がなく、作業効率を向上させることができる。
【００５１】
また、作業面には、作業の手順等が記載されたマニュアル７２が設けられている。マニュアル７２は、作業面の中央部に印刷されている。マニュアル７２が作業面に設けられることで、作業しながら作業手順の確認ができ、またマニュアル７２を探したりする手間を省いて作業効率の向上を図ることができる。
【００５２】
また、作業面には、備品のシンボル７３が印刷されている。ここでは、ハサミ、テープ、カッター及び軍手のシンボル７３が印刷されている。作業面に備品のシンボル７３が設けられることで、作業者は作業に必要な備品の準備のし忘れを防止できるし、作業中の備品の紛失を防止することもできる。
【００５３】
また、図６Ａでは、スケール７１は、天板本体４１の縁部に沿って設けられたが、図６Ｂに示すように、作業面の全面にわたる方眼によって構成されてもよい。図６Ｂでは、方眼は、一定の距離をおいて印刷された複数の横線と、複数の縦線とで構成されている。
（２）変形例
【００５４】
上記実施形態は、本発明の様々な実施形態の一つに過ぎない。実施形態は、本発明の目的を達成できれば、設計等に応じて種々の変更が可能である。以下、実施形態の変形例を列挙する。以下に説明する変形例は、適宜組み合わせて適用可能である。
【００５５】
上記実施形態では、支持部２を構成する段ボールは、一の段ボールシートを折り重ねて２層となるように構成されたが、例えば、二つの段ボールシートを貼り合わせて構成してもよいし、１層の段ボールシートで構成してもよい。
【００５６】
上記実施形態では、切断部３１１は、棚板３１の縁で構成されたが、本発明では、切断部３１１は、例えば、棚板本体の端部に対して固定された刃物で構成されてもよい。
【００５７】
上記実施形態では、棚板３１は、棚部３の下端部の横板で構成されたが、上板３３を棚板としてもよい。この場合、上板３３は、先端部に切断部３１１を有してもよい。上板３３が切断部３１１を有する場合、切断部３１１は、例えば、上板３３の端面の下側の縁によって構成される。
【００５８】
上記実施形態では、棚板３１は、一対の第一側壁２１の各々に対応するように取り付けられたが、本発明では、すべての側壁に対応して取り付けられてもよいし、四つの側壁のうちのいずれか一つに対応して取り付けられてもよい。
【００５９】
上記実施形態では、天板部４は、平面視正方形状に形成されたが、本発明では、形状に制限はなく、例えば、円形状、長方形状、台形状、ひし形状、平行四辺形状、五角形状、六角形状等に形成されてもよい。
【００６０】
天板部４の位置決め部４４は、天板本体４１の外周に沿って配置され、第一側壁２１，第二側壁２２の端面に対して当たるように構成されたが、これに限らず、支持部２の上端の開口面の内周縁に対して当たるように配置されてもよい。また、位置決め部４４は、天板本体４１の下面から下方向に突出する構成に限らず、天板本体４１の下面に形成された溝によって構成されてもよい。この場合、溝に支持部２の上端が嵌め込まれる。
【００６１】
上記実施形態では、仕切り５２は、箱本体５１の内部を二つの区画に仕切ったが、本発明では、仕切り５２は三つ以上の区画に仕切ってもよい。仕切り５２は、平板を十字に組み合わせて構成してもよい。また、仕切り５２は、平板に限らず、例えば、円筒状に形成されてもよい。円筒状の仕切り５２によって、箱本体５１の内部を、仕切り５２の内側と仕切り５２の外側との区画に仕切ってもよい。ただし、本発明では、仕切り５２は必須ではなく、設けられなくてもよい。
【００６２】
上記実施形態では、天板部４と支持部２との両方に貫通孔が形成されたが、本発明では、支持部２のみに貫通孔２１２が形成され、天板部４に形成されなくてもよい。また、天板部４のみに貫通孔４２が形成されてもよい。また、支持部２の全ての側壁に貫通孔が形成されてもよい。
【００６３】
上記実施形態では、収納箱５の内部は仕切り５２によって、長尺部材用区画５３とごみ用区画５４とに仕切られたが、本発明では、複数の区画の全ての区画を長尺部材用区画５３としてもよい。これによれば、区画ごとに異なる種類の長尺部材６を収納できる。
【００６４】
上記実施形態では、収納箱５を支持部２から取り外す際、天板部４を支持部２から外したうえで、収納箱５を交換する。しかし、本発明では、支持部２を設置面Ｘ１から離して、支持部２の下方から収納箱５を収めてもよい。したがって、天板部４は、支持部２に対して、取外しできないように、接着材、固定具等で固定されてもよい。また、収納箱５を交換するための開閉可能な扉を支持部２に形成してもよい。
【００６５】
本明細書にて、「略平行」、又は「略直交」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００６６】
また、本明細書において「前端部」及び「前端」などのように、「…部」の有無で区別した表現が用いられている。例えば、「前端部」とは、「前端」を含む一定の範囲を持つ部分を意味する。他の「…部」を伴った表現についても同様である。
（３）まとめ
【００６７】
以上説明したように、第１の態様に係る作業台１は、天板部４と、支持部２と、貫通孔と、を備える。天板部４は、段ボールによって板状に形成され、作業面を有する。支持部２は、段ボールによって中空状に形成され、天板部４を設置面Ｘ１上で支える。貫通孔は、支持部２と天板部４との両方又はいずれか一方に形成され、支持部２の内部のスペースに通じる。
【００６８】
この態様によれば、支持部２の内部のスペースに収納された長尺部材６を、貫通孔を通して取り出すことができる。これにより、作業者は、作業面に長尺部材６を置かなくても、素早く長尺部材６を取り出すことができ、作業効率の向上を図ることができる。
【００６９】
第２の態様に係る作業台１では、第１の態様において、収納箱５を更に備える。収納箱５は、支持部２の内部のスペースに配置され、柔軟性をもつ長尺部材６を収納する。収納箱５は、貫通孔に通じる開口を有する。
【００７０】
この態様によれば、支持部２内の長尺部材６がなくなった際、空の収納箱５と、長尺部材６が収納された収納箱５とを交換すればよく、長尺部材６の詰替え作業が容易である。
【００７１】
第３の態様に係る作業台１では、第２の態様において、収納箱５は、外殻を形成し開口を含む箱本体５１と、箱本体５１の内部を複数の区画に仕切る仕切り５２と、を有する。
【００７２】
この態様によれば、収納箱５内の複数の区画を、複数種類の長尺部材６で分類したり、長尺部材６の収納と、別の用途（例えばごみ収集）とに区分けしたりすることができる。
【００７３】
第４の態様に係る作業台１では、第３の態様において、貫通孔を複数備える。収納箱５の複数の区画のうちの一つは、複数の貫通孔のうちの少なくとも一つに通じ、他の区画のうちの一つは、他の貫通孔のうちの少なくとも一つに通じている。
【００７４】
この態様によれば、貫通孔に応じて、機能を分けることができ、使い勝手のよい作業台１とすることができる。
【００７５】
第５の態様に係る作業台１では、第４の態様において、収納箱５の複数の区画の少なくとも一つは、長尺部材６が収納される長尺部材用区画５３であり、長尺部材用区画５３以外の区画は、貫通孔に通じるごみ用区画５４である。
【００７６】
この態様によれば、長尺部材６の収納と、ごみ箱とを、作業台１の内部で行うことができ、作業環境をすっきりさせることができる。
【００７７】
第６の態様に係る作業台１では、第３〜５のいずれか１つの態様において、箱本体５１は、直方体状に形成され、仕切り５２は、箱本体５１の対角にわたるように配置された平板によって構成されている。
【００７８】
この態様によれば、接着することなく、箱本体５１に対して、仕切り５２を動かないように取り付けることができる。
【００７９】
第７の態様に係る作業台１では、第１〜６のいずれか１つの態様において、天板部４と設置面Ｘ１との間において支持部２に取り付けられた棚板３１を更に備える。
【００８０】
この態様によれば、棚板３１に作業に使用する備品等を置くことができ、作業性を向上させることができる。
【００８１】
第８の態様に係る作業台１では、第７の態様において、支持部２は、四つの段ボールからなる側壁を井桁状に組み立てることで形成される。棚板３１は、一の側壁から突出する他の二つの側壁の側端部に架け渡されている。
【００８２】
この態様によれば、支持部２に対して、棚板３１を容易に取り付けることができる。
【００８３】
第９の態様に係る作業台１では、第７又は第８の態様において、貫通孔が支持部２に形成され、棚板３１は、支持部２に形成された貫通孔よりも下方に配置されている。
【００８４】
この態様によれば、棚板３１が設けられていても、棚板３１が貫通孔と作業者の目との間に位置することがない。この結果、作業者は、棚板３１が設けられていても、貫通孔を通しての動作（例えば、長尺部材６を引き出すこと等）が妨げられず、作業性が損なわれるのを防ぐことができる。
【００８５】
第１０の態様に係る作業台１では、第７〜９のいずれか１つの態様において、棚板３１は、幅方向の外側の端部に形成され長尺部材６を切断するための切断部３１１を有する。
【００８６】
この態様によれば、長尺部材６を貫通孔から引き出した際、長尺部材６を任意の長さに切断することができるため、作業者はハサミを手に取る必要がなく、作業性を向上させることができる。
【００８７】
第１１の態様に係る作業台１組み立てキットは、段ボールによって板状に形成され、作業面を有する天板部４と、段ボールによって中空状に形成されるものであり、天板部４を設置面Ｘ１上で支えるための支持部２と、を備える。支持部２と天板部４との両方又はいずれか一方に、支持部２の内部のスペースに通じさせるための貫通孔が形成されている。
【００８８】
この態様によれば、ユーザ（作業者を含む）が作業台１を組み立てることで、上記効果を奏する作業台１を得ることができる。
【００８９】
第２〜第１０の態様に係る構成については、作業台１に必須の構成ではなく、適宜省略可能である。
【符号の説明】
【００９０】
１        作業台
２        支持部
２１      第一側壁
２１２    第一貫通孔（貫通孔）
２２      第二側壁
２３      収納スペース（スペース）
３１      棚板
３１１    切断部
４        天板部
４２      第二貫通孔（貫通孔）
５        収納箱
５１      箱本体
５１１    上開口（開口）
５１２    横開口（開口）
５２      仕切り
５３      長尺部材用区画
５４      ごみ用区画
Ｘ１      設置面
６        長尺部材
【要約】
【課題】作業面を有効に使用し、作業効率の向上を図ることができる作業台及び作業台組立てキットを提供する。
【解決手段】作業台１は、天板部４と、支持部２と、貫通孔と、を備える。天板部４は、段ボールによって板状に形成され、作業面を有する。支持部２は、段ボールによって中空状に形成され、天板部４を設置面Ｘ１上で支える。貫通孔は、支持部２と天板部４との両方又はいずれか一方に形成され、支持部２の内部のスペースに通じる。
【選択図】図１【図１】
0006810979.tif 000002
【図２】
0006810979.tif 000003
【図３】
0006810979.tif 000004
【図４】
0006810979.tif 000005
【図５】
0006810979.tif 000006
【図６】
0006810979.tif 000007